(57)【要約】【課題】効率的な生産スケジュールの変更を行うことができるようにすること。【解決手段】生産単位を連続的に処理し製品を製造する工程で用いる生産スケジュールの変更作業の支援システム１０であって、オペレータＭが確認可能な表示器１１とオペレータＭが操作可能な入力デバイス１２とを有し、表示器１１には、生産単位の内容を示す生産項目を処理順に並べた「生産スケジュールエリアＡ１」が設定され、生産スケジュールに並べられた生産単位を選択すると、表示器１１は、当該生産スケジュール内に並べられた他の生産単位のうち選択された生産単位と入れ替え可能な生産単位を、選択された生産単位の属性に基づいて表示し、入力デバイス１２をオペレータＭが操作することで、選択された生産単位と前記入れ替え可能な生産単位とを入れ替えて、生産スケジュールの変更作業を行うように構成されていることを特徴とする。【選択図】図１
2014044516.tif 000002
【特許請求の範囲】
【請求項１】
生産単位を連続的に処理し製品を製造する工程で用いる生産スケジュールの変更作業の支援システムであって、
前記支援システムは、オペレータが確認可能な表示器と当該オペレータが操作可能な入力デバイスとを有し、
前記表示器には、生産単位の内容を示す生産項目を処理順に並べた「生産スケジュールエリア」が設定され、
前記入力デバイスをオペレータが操作し前記生産スケジュールに並べられた生産単位を選択すると、前記表示器は、当該生産スケジュール内に並べられた他の生産単位のうち前記選択された生産単位と入れ替え可能な生産単位を、前記選択された生産単位の属性に基づいて表示し、
前記表示器の表示を参照しつつ入力デバイスをオペレータが操作することで、前記選択された生産単位と前記入れ替え可能な生産単位とを入れ替えて、生産スケジュールの変更作業を行うように構成されている
ことを特徴とする生産スケジュールの変更支援システム。
【請求項２】
前記選択された生産単位の属性は、前記選択された生産単位と前記入れ替え可能な生産単位との間の類似性であることを特徴とする請求項１に記載の生産スケジュールの変更支援システム。
【請求項３】
前記選択された生産単位の属性は、前記選択された生産単位と前記入れ替え可能な生産単位とを入れ替えた後での前記生産スケジュールにおける生産性であることを特徴とする請求項１又は２に記載の生産スケジュールの変更支援システム。
【請求項４】
前記入れ替え可能な生産単位の属性は、前記選択された生産単位の納期であることを特徴とする請求項１〜３のいずれかに記載の生産スケジュールの変更支援システム。
【請求項５】
前記入力デバイスをオペレータが操作することで、前記生産スケジュールに並べられた生産単位を複数選択すると、前記表示器は、前記選択された複数の生産単位と共通する属性を有する生産単位を表示することを特徴とする請求項１〜４のいずれかに記載の生産スケジュールの変更支援システム。
【請求項６】
前記生産単位を連続的に処理し製品を製造する工程は、連続鋳造装置で鋳片を鋳造する工程であり、
前記生産単位は、連続鋳造装置における鋳造単位であるチャージとされていることを特徴とする請求項１〜５のいずれかに記載の生産スケジュールの変更支援システム。
【発明の詳細な説明】
【技術分野】
【０００１】
本発明は、様々な製品を製造するに際し、その生産スケジュールの変更作業を支援するシステムに関する。
【背景技術】
【０００２】
例えば、製鋼工程においては、連続鋳造装置を用いて様々なユーザ向けの鋳片を製造している。鋳片を連続的に鋳造するに際しては、接続される鋳片（前チャージの鋳片に接続される後チャージの鋳片）として、例えば、鋼種が略同じであったり、納期が同じであったりといった関連性を有する鋳片が接続対象として選択される。特に、鋼種が近いものを選択することで、クロップ（鋳片同士の接続部分で成分が規定値を満たさず、廃棄せざるを得ない部分）を可能なかぎり少なくすることができ、加えて、鋳造速度をほぼ同じとすることができる場合もある。つまり、連続鋳造装置における効率的な鋳片の製造、すなわち効率的な生産スケジュールの設定のためには、受注している鋳片の納期、鋳片同士（鋼種同士）の接続可能性、過去のトラブル情報など、様々な情報を広範囲な観点から鑑みる必要がある。
【０００３】
生産スケジュールを効率的に決定するための技術としては、特許文献１、２に開示されたものがある。
特許文献１は、製品を構成する部品の生産に要する各工程、設備での所要時間を考慮した予備生産計画に基づき、各工程、設備毎の合計負荷を計算し、各工程、設備の負荷容量を越えないように、かつ予備生産計画で生じた制約条件である製品の納期、入庫予定、ロット纏め等に抵触しないように各部品生産日程を前ずらしすることを特徴とする生産計画作成方法を開示する。
【０００４】
特許文献２は、情報を表示する表示部と、製品を納入された顧客と前記顧客の位置を示す顧客位置とを対応させて記録する顧客ＤＢと、前記表示部に地図を表示して前記顧客位置を指し示す目印を前記地図上に表示する情報表示部と、前記顧客への対応状況を含めた前記製品の保守業務情報を記録する保守ＤＢと、前記顧客のうちから前記顧客を訪問する巡回業務を行うべき対象顧客を判断するための情報を前記保守ＤＢから抽出する抽出条件を受け付ける抽出条件受付部と、前記抽出条件に基づいて前記抽出条件に適合する前記対象顧客を含めた抽出情報を前記保守ＤＢから抽出する情報抽出部とを備え、前記情報表示部は、前記目印のうちで前記対象顧客に対応する前記顧客位置を指し示す前記目印を前記地図上において視覚的に区別可能な状態で表示する業務支援システムを開示する。
【先行技術文献】
【特許文献】
【０００５】
【特許文献１】特開２００７−２０７２００号公報
【特許文献２】特開２０１１−１２８９９７号公報
【発明の概要】
【発明が解決しようとする課題】
【０００６】
連続鋳造装置におけるオペレータは、トラブルを回避しつつ、生産性を落とすことなく、しかも納期を確実に守れるように鋳片の型組（生産スケジュール）を決定しなくてはならない。このとき、経験豊富なオペレータであれば、受注している鋳片の納期、鋼種の接続可能性、過去のトラブル情報などの様々な情報を、広範囲な観点から過去の様々な経験を並列的に判断しつつ、所望の型組（生産スケジュール）を決めることができる。
【０００７】
しかしながら、経験の浅いオペレータでは、上述したように過去の様々な経験を並列的に判断しつつ型組を決定することが困難である場合が多い。また、経験豊富なオペレータであっても、型組作業には数時間といった多大な時間を要しているのが実情である。
この状況を改善すべく、特許文献１や特許文献２の技術を採用しようとしても、特許文献１の技術は、生産に必要な工程、設備での工数に基づいて作成した予備生産計画を、予備計画での制約条件を維持しつつ、負荷容量を越えている工程、設備の負荷を軽減し、実現可能な生産計画を作成するためのプログラムに関する技術であり、製鋼工程における生
産スケジュール決定に適用できるものとは考え難い。すなわち、連続鋳造機における型組作業に適用できる技術を開示するものとはなっていない。
【０００８】
特許文献２の技術も、客先を効率よく巡回する順路の適切な計画を支援することが可能な業務支援システムであり、連続鋳造機における型組作業に適用不可能なものと思われる。
つまり、現状では、連続鋳造装置における生産スケジュールを決定するための技術は開発されるにいたっておらず、オペレータの経験に頼った人的作業に基づき、型組作業が行われているのが実情である。
【０００９】
さらには、一旦決定された生産スケジュール（型組）に対しては、生産スケジュールを最適化するための修正や、その後の生産現場の事情による修正などの微調整ともいえる変更がしばしばおこなわれる。このような変更も、オペレータの経験に頼った人的作業によっておこなわれるため、上述の生産スケジュールの決定と同様に、経験の浅いオペレータにとっては過去の様々な経験を並列的に判断しつつ型組を変更することは困難であり、また、経験豊富なオペレータにとっても多大な時間が必要となる。
【００１０】
そこで、本発明は上記問題点に鑑み、様々な製品を製造するに際して決定された生産スケジュールを、オペレータの経験度合いに左右されることなく、効率的に変更することができるような変更作業の支援システムを提供することを目的とする。
【課題を解決するための手段】
【００１１】
上述の目的を達成するため、本発明においては以下の技術的手段を講じた。
本発明に係る生産スケジュールの変更支援システムは、生産単位を連続的に処理し製品を製造する工程で用いる生産スケジュールの変更作業の支援システムであって、前記支援システムは、オペレータが確認可能な表示器と当該オペレータが操作可能な入力デバイスとを有し、前記表示器には、生産単位の内容を示す生産項目を処理順に並べた「生産スケジュールエリア」が設定され、前記入力デバイスをオペレータが操作し前記生産スケジュールに並べられた生産単位を選択すると、前記表示器は、当該生産スケジュール内に並べられた他の生産単位のうち前記選択された生産単位と入れ替え可能な生産単位を、前記選択された生産単位の属性に基づいて表示し、前記表示器の表示を参照しつつ入力デバイスをオペレータが操作することで、前記選択された生産単位と前記入れ替え可能な生産単位とを入れ替えて、生産スケジュールの変更作業を行うように構成されていることを特徴とする。
【００１２】
好ましくは、前記選択された生産単位の属性は、前記選択された生産単位と前記入れ替え可能な生産単位との間の類似性であるとよい。
好ましくは、前記選択された生産単位の属性は、前記選択された生産単位と前記入れ替え可能な生産単位とを入れ替えた後での前記生産スケジュールにおける生産性であるとよい。
【００１３】
好ましくは、前記入れ替え可能な生産単位の属性は、前記選択された生産単位の納期であるとよい。
好ましくは、前記入力デバイスをオペレータが操作することで、前記生産スケジュールに並べられた生産単位を複数選択すると、前記表示器は、前記選択された複数の生産単位と共通する属性を有する生産単位を表示するとよい。
【００１４】
好ましくは、前記生産単位を連続的に処理し製品を製造する工程は、連続鋳造装置で鋳片を鋳造する工程であり、前記生産単位は、連続鋳造装置における鋳造単位であるチャージとされているとよい。
【発明の効果】
【００１５】
本発明の生産スケジュールの変更支援システムによれば、様々な製品を製造するに際して決定された生産スケジュールを、オペレータの経験度合いに左右されることなく、効率的に変更することができる。
【図面の簡単な説明】
【００１６】
【図１】連続鋳造装置の概略構成を示す斜視図である。
【図２】生産スケジュールの変更支援システムの全体構成を概略的に示す図である。
【図３】支援モニタに表示される生産スケジュール決定画面を示す図である。
【図４】支援モニタに表示される生産スケジュール変更画面、特に検索画面を例示する図であり、（ａ）は通常の検索インタフェースを示す図であり、（ｂ）は詳細な検索画面を示す図である。
【図５】支援モニタに表示される生産スケジュール変更画面を示す図である。
【図６】支援モニタに表示される検索画面の他の例を示した図である。
【図７】支援モニタに表示される検索画面の他の例を示した図である。
【発明を実施するための形態】
【００１７】
図を参照しながら、以下に、本発明の実施形態による生産スケジュールの変更支援システム１０Ｂを説明する。
本実施形態による変更支援システム１０Ｂは、例えば製鉄所内において様々な製品を製造するに際し、既に何らかの手法により決定された生産スケジュールの「変更作業」を支援するものであり、適用対象としては、様々な生産単位（生産タスク）を連続的に生産する工程が考えられる。
【００１８】
以下、一つの実施形態として、製鋼工程において鋳片３を製造する連続鋳造装置１を用いて様々な鋳片３を連続的に製造する工程を例にあげ、この連続鋳造装置１において決定された生産スケジュールの変更を支援するシステムについて説明する。
図１に示す連続鋳造装置１は、スラブ連続鋳造装置１であり、鋳型２の下端から引き抜かれた鋳片３は、複数のサポートロール４で支持されつつ曲げられ、最後は水平方向に引き抜かれるようになる。
【００１９】
連続鋳造装置１は、溶鋼を一時的に蓄え鋳型２へ注入するタンディッシュ５と、溶鋼を鋳造する鋳型２と、鋳型２から出たスラブ等の鋳片３を支えつつ移送する複数のサポートロール４を有している。
このような構成の連続鋳造装置１では、取鍋により運ばれてきた溶鋼がタンディッシュ５に注がれ、注がれた溶鋼はタンディッシュ５に設けた浸漬ノズル６を介して鋳型２に注入される。鋳型２では注入された溶鋼が冷却（１次冷却）され、その表面部のみが凝固した状態の鋳片３となって、鋳型２下部から引き抜かれる。
【００２０】
引き抜かれた鋳片３は、各サポートロール４で保持され、最終的には水平方向となるところまで湾曲し、水平になった鋳片３は下流側に備えられたガス切断機（図示せず）により鋳片３に分割される。なお、連続鋳造装置１では、同一鋼種の鋳造を連続的に行うことはもちろん、鋼種の異なる溶鋼を連続的に供給し、成分の異なった鋳片３が連なるように製造することもある。
【００２１】
さて、図３に示すように、連続鋳造装置１で鋳造を行うにあたっては、複数のチャージ（生産単位）が予め何らかの手法（例えば、後述の決定支援システム１０Ａ）で決定された順番で処理されるようになっている。これらチャージのそれぞれには、型番、鋼種（鋼種名）、クロップ量、各種成分値、納期などの内容（生産項目）が関連付けられて１つの処理単位とされている。なお、生産単位に関連付けられた生産項目、すなわち、型番、鋼種（鋼種名）、次鋼種との接続パターン（以下では、単に接続パターンと呼ぶ）、クロップ量、各種成分の上限下限、納期などを、本実施形態では生産単位の属性と呼ぶこともある。
【００２２】
そして、日付毎（鋳造日毎）に、生産単位の属性等を勘案しながらチャージの鋳造順序（生産順序）が決められている。なお、連続鋳造装置１では、機種によって違いはあるが、１チャージは数十ｔ〜数百ｔであり、また、1日に１０〜３０チャージの鋳造が可能である。
このような複数のチャージ（生産単位）の生産順序を決定するには、例えば、鋼種が略同じであったり、納期が同じであったりするチャージが前後に並ぶように選択されることが多い。特に、類似の鋼種が連続するようにチャージを選択した場合は、両チャージ間で生じるクロップをできるだけ少なくしたり、両チャージの鋳造速度をほぼ同じにしたりといった良好な条件で鋳片３を製造することができる。
【００２３】
このように、鋳片３を鋳造するに際して、前後のチャージの様々な条件を考慮して生産
スケジュールを決定するのがよい。
言い換えれば、連続鋳造装置１をコントロールするオペレータＭは、数多くのチャージから、受注している鋳片３の納期、鋳片３同士（鋼種同士）の接続可能性などの生産単位の属性、過去のトラブル情報などを考慮して生産スケジュールを決定する必要がある。
【００２４】
しかしながら、経験の浅いオペレータＭでは、数多くのチャージから適切なチャージを素早く選択して全体の生産スケジュールを決定することは困難である。
さらに、生産スケジュールが決定された後においても、生産スケジュール内に配列されたチャージを入れ替えて、一旦決定された生産スケジュールを変更することもある。この生産スケジュールの変更は、生産スケジュールを最適化するためや、鋳片３の受注の変動に合わせるために常に行われており、生産スケジュールの決定同様に、経験の浅いオペレータＭにとって困難な作業であるとともに、経験豊富なオペレータＭにとっても長時間を要する負担の大きな作業となっている。
【００２５】
そこで、本実施形態の変更支援システム１０Ｂは、既に決定された生産スケジュール内で変更対象となるチャージを選択すると、当該変更対象のチャージと入れ替え可能なチャージを、決定された生産スケジュール内のチャージ、又はこれから生産スケジュールに組み込まれる予定のチャージの中から検索して表示する。このような表示によって、オペレータＭの経験度合いに左右されることなく、適切に生産スケジュールを変更することができるようにするものである。
［前提となる実施形態］
以下、本実施形態に係る連続鋳造装置１の生産スケジュールの変更支援システム１０Ｂを説明する前に、その前提となる生産スケジュールの決定支援システム１０Ａについて、構成及び作動態様を説明する。その後に、この決定支援システム１０Ａで決定した生産スケジュールを変更する変更支援システム１０Ｂについて説明する。
【００２６】
生産スケジュールの決定支援システム１０Ａと変更支援システム１０Ｂは、ともに生産スケジュールを作成する作成システム１０に含まれるシステムである。なお、本実施形態では、生産スケジュールを決定することを「型組を行う」と呼ぶこともある。
図２に示すように、決定支援システム１０Ａは、連続鋳造装置１を制御する操業システムとは別に設けられたオフラインのシステムであって、オペレータＭが確認可能な表示器１１（支援モニタ）と、オペレータＭが操作可能な入力デバイス１２とを有している。
【００２７】
支援モニタ１１は、液晶モニタやＣＲＴモニタで構成されており、オペレータＭが駐在するコントロール室内に設置されており、必要に応じてオペレータＭによって視認可能な状態となっている。この支援モニタ１１に表示される情報は、コンピュータ１３に格納された型組決定モデルによって決定されるようになっている。型組決定モデルは、表計算ソフトで構成されたり、プログラム言語によってプログラム化されたりといった形態で、ハードディスクで構成された記憶装置に記憶されている。この型組決定モデルがＭＰＵなどで構成された演算装置によって演算されて、支援モニタ１１に表示する情報が決定される。
【００２８】
コンピュータ１３は、当該コンピュータ１３に対する指示や外部からの信号を取り込むための入力デバイス１２や演算結果を表示する出力デバイスを備えている。入力デバイス１２としては、オペレータＭが操作可能なマウス、キーボード、タッチパネルなどがあり、出力デバイスは、前述の支援モニタ１１などである。
図２に示すように、オペレータＭが入力デバイス１２を操作することで、支援モニタ１１上に配置された生産スケジュールに関する項目、即ち、生産単位の内容を示す生産項目である属性（型番、鋼種、接続パターン、クロップ、各種成分の上限下限、納期など）を該支援モニタ１１上で再配置することによって、支援モニタ１１上で生産スケジュールの決定及び変更作業を行うことができる。
【００２９】
図３に示すように、支援モニタ１１には、生産項目を処理順に並べる生産スケジュールエリアＡ１と、生産単位の優先度に応じて生産項目を表示する生産優先度エリアＡ２とが設定されている。
支援モニタ１１の画面の下部分は、生産優先度エリアＡ２であり、この生産優先度エリアＡ２よりも上部側の部分は生産スケジュールエリアＡ１である。生産優先度エリアＡ２には、２つ以上のパラメータで生産単位の優先度（生産優先度）が評価された生産項目が、その生産優先度に応じて配置されている。この実施形態では、パラメータとして、納期と生産性が採用されている。なお、別のパラメータとして、鋳片３サイズなども考えられる。
【００３０】
生産優先度エリアＡ２を見ると、左上に行くほど納期が短く且つ生産性が悪くなっているため生産優先度の高い領域とされ、右下に行くほど納期が長く且つ生産性が良いとなっているため生産優先度の低い領域とされている。
なお、ある鋼種は、他の鋼種と鋳造した場合の生産性低下度合や、各鋼種を接続したときの接続方法やクロップ量は予め決定されてデータベースに記録されている。このデータベースに記録された生産性と鋼種との関係や、各鋼種を接続したときの接続方法やクロップ量等は、コンピュータ１３内の型組決定モデルに送られるようになっている。
【００３１】
生産スケジュールエリアＡ１では、左から右へ日付毎の生産スケジュールが示されており、同じ日付では上側から下側に順に、生産単位（チャージ）の内容を示す生産項目が配置されている。
このように、生産優先度エリアＡ２をオペレータＭが見ることによって優先度の高い生産単位（チャージ）を知ることができると共に、生産スケジュールエリアＡ１をオペレータＭが見ることによって生産状況を把握することができる。そのうえで、オペレータＭは、入力デバイス１２を用いて、生産優先度エリアＡ２に配置された生産項目を生産スケジュールエリアＡ１に移動させることによって型組を行い、生産スケジュールを作成することができる。
［本発明の実施形態］
上述した生産スケジュールの決定支援システム１０Ａでは、様々な製品を製造するに際して、オペレータＭの経験度合いに左右されることなく、効率的な生産スケジュールの決定を確実且つ迅速に行うことが可能となる。
【００３２】
しかしながら、決定支援システム１０Ａによって決定された生産スケジュールを、オペレータＭが変更する場合がある。本実施形態における生産スケジュールの決定支援システム１０Ａは、斯かる変更作業を支援するための変更支援システム１０Ｂを含むものとなっている。この変更支援システム１０Ｂについて以下に説明する。なお、生産スケジュールの決定支援システム１０Ａと、生産スケジュールの変更支援システム１０Ｂとは、コンピュータ１３にて同時に実行され、同じ支援モニタ１１上に表示されるものとなっている。
【００３３】
以下、生産スケジュールの変更支援システム１０Ｂについて、説明する。
まず、図３を参照しながら説明する。決定支援システム１０Ａによって生産スケジュールとして決定された生産スケジュールエリアＡ１のチャージのうち、前後のチャージのつながりが良好でない場合や、納期が変更になった場合などに、一旦決定された順番を変更する必要が生じる。そのとき、変更支援システム１０Ｂは、変更の対象となるチャージの代替となりうる（交換しうる）チャージを生産スケジュールエリアＡ１及び生産優先度エリアＡ２から検索して、オペレータＭに提示することができる。交換可能なチャージを検索するためには、オペレータＭによる検索条件の指定が必要であり、変更支援システム１０Ｂは、検索条件指定のための検索画面Ａ３（検索インタフェース）を提供する。
【００３４】
まず、図３において、オペレータＭが入力デバイス１２を操作して生産スケジュールエリアＡ１内のチャージを選択する。具体的には、入力デバイス１２であるマウスを用いて支援モニタ１１の画面上のポインタなどを、例えば７月２７日のＮｏ．４に並べられた鋼種名「ＫＬ０１１ＭＫ」の位置に移動させる。その位置でマウスを右クリックすると、鋼種名「ＫＬ０１１ＭＫ」のチャージと交換しうるチャージを検索するインタフェースが検索画面として起動する。
【００３５】
図４（ａ）は、インタフェースが起動したときに最初に表示される第１検索画面Ａ３１を示している。この第１検索画面Ａ３１は、既に支援モニタ１１の画面上に表示されている生産スケジュールエリアＡ１及び生産優先度エリアＡ２に重なるように表示される。
図４（ａ）では、オペレータＭが選択したチャージの属性が表示されている。チャージ
の属性として、例えば、鋳造納期が「２０１１年８月７日」、ビレットサイズが「△△△ｍｍ」、鋼種が「ＫＬ０１１ＭＫ」、所属グループが「グループA鋼種かつ強靭鋼」であることが示されている。この第１検索画面Ａ３１では、オペレータＭが、選択されたチャージ（選択チャージ）を基準として検索条件を指定して、選択されたチャージと交換しうるチャージを検索することができる。
【００３６】
例えば、鋳造納期について、選択されたチャージの納期は２０１１年８月７日であるが、オペレータＭは、この納期を基準として、より早い納期のチャージを検索するのか、同じ納期のチャージを検索するのか、又はより遅い納期のチャージを検索するのかを選択する。図４（ａ）では、「同じ」という項目に二重丸印のチェックマークが入っているが、オペレータＭは、入力デバイス１２であるマウスを用いて「より早い」又は「より遅い」の項目をクリックしてチェックマークを変更することができる。
【００３７】
同様に、ビレットサイズについても、選択されたチャージの△△△ｍｍを基準として、より大きいサイズのチャージ、同じサイズのチャージ、又はより小さいサイズのチャージを検索するのかを、チェックマークを変更して選択する。同一乃至は類似のサイズを連続して鋳造するのであれば、生産が容易なものとなる。すなわち、スケジュール変更の指標として、生産単位の類似性を考慮していることになる。
【００３８】
さらに図４（ａ）の第１検索画面Ａ３１では、オペレータＭが、検索の対象となるチャージの所属グループを、検索条件として指定できるようにもなっている。図４（ａ）では、「希釈鋼種」と「強靱鋼」の２つ所属グループにチェックマークが付されているが、これは、選択されたチャージの所属グループを示しているだけであるので、オペレータＭの判断によって２つに限らず任意の所属グループにチェックマークを付してもよい。同一乃至は類似の鋼種を連続して鋳造するのであれば、クロップ量も少ない上にトラブルも少ないものとなる。すなわち、スケジュール変更の指標として、生産単位の類似性を考慮していることになる。
【００３９】
図４（ａ）の第１検索画面Ａ３１に示す属性だけを指定して、選択されたチャージと交換しうるチャージを検索してもよいが、さらに詳細な属性を指定して検索したい場合、オペレータＭは、第１検索画面Ａ３１で「詳細」と書かれたボタンを入力デバイス１２で選択しクリックする。
第１検索画面Ａ３１における「詳細」ボタンのクリックによって、図４（ｂ）に示す第２検索画面Ａ３２が、第１検索画面Ａ３１に代わって表示される。
【００４０】
図４（ｂ）は、第１検索画面Ａ３１に表示された情報に加えて、選択されたチャージ（選択チャージ）の前後に配置されたチャージの鋼種（前鋼種及び後鋼種）と、前後のチャージとの「繋がり」の項目、及びその繋がりにおいて生じる廃棄せざるを得ない部分の量（「クロップ量」）の項目が表示される。
前鋼種及び後鋼種とも、「繋がり」の項目では、例えば、「マルチ」、「ＳＢ（シーケンスブロック）」、「希釈」、及び「不可」のいずれかが選択可能となっており、図４（ｂ）では、前鋼種「ＡＹ３２２ＭＩ」の項目「繋がり」として、「希釈」にチェックマークが付され、クロップ量が５ｔ（ｔｏｎ）生じることが示されている。クロップ量の右隣には、このクロップ量を基準として、より少ないクロップ量のチャージを検索するのか、同じクロップ量のチャージを検索するのか、又はより多いクロップ量のチャージを検索するのかを指定できるチェック欄が用意されている。
【００４１】
図４（ｂ）では、「同じ」という項目に二重丸印のチェックマークが入っているが、オペレータＭは、入力デバイス１２であるマウスを用いて「より少ない」又は「より多い」の項目をクリックしてチェックマークを変更することができる。
後鋼種「ＬＨ２１４ＭＭ」も同様に、「繋がり」として、「希釈」にチェックマークが付され、クロップ量が３ｔ（ｔｏｎ）生じることが示されている。クロップ量の右隣チェック欄では、項目「同じ」に二重丸印のチェックマークが入っている。
【００４２】
図４（ｂ）の第２検索画面Ａ３２に示されるように、前後のチャージとの繋がりやクロップ量を指定することで、オペレータＭは、選択されたチャージ「ＫＬ０１１ＭＫ」の代替としてより適したチャージを検索することができる。このように、生産単位の連続性を
勘案しつつ鋳造するのであれば、生産性が非常に良いものになる。すなわち、スケジュール変更の指標として、生産スケジュールにおける生産性を考慮していることになる。
【００４３】
図５を参照しつつ、オペレータＭが、図４（ｂ）の第２検索画面Ａ３２を用いて交換可能なチャージを検索したときの結果について説明する。オペレータＭは、図４（ｂ）に示すように鋼種「ＫＬ０１１ＭＫ」のチャージを選択し「検索」ボタンを押したため、図５では鋼種「ＫＬ０１１ＭＫ」の部分が太線で強調表示されている。これと同時に、強調表示された鋼種「ＫＬ０１１ＭＫ」のチャージと交換（代替）可能なチャージが、色彩や明度に変化によって点滅するなど、選択されたチャージとは異なる方法で強調表示される。
【００４４】
図５では、生産スケジュールエリア（Ａ１）で７月２８日に配置された鋼種「ＮＨ３３６ＢＣ」のチャージと鋼種「ＣＸ１６２ＱＡ」のチャージ、及び生産優先度エリア（Ａ２）の最も左側の欄に表示された鋼種「ＣＡ０６８ＮＸ」のチャージが、交換可能なチャージ（交換チャージ）として強調表示されている。オペレータＭは、これら強調表示された交換チャージのうちひとつを選び、入力デバイス１２を用いた所謂ドラッグアンドドロップ（Drag & Drop）などによって、矢印で示すように交換チャージを選択チャージの位置まで移動させて交換チャージと選択チャージの位置を入れ替える。
【００４５】
上述のような交換チャージの検索によって、オペレータＭは、これら強調表示されたチャージのみに注目するだけで、選択されたチャージと入れ替える交換チャージを選択することができる。このことは、経験の浅いオペレータＭにとっては、無数にあるといえるほどの鋼種の中から交換チャージを選択しなくてはならないという負担を軽減することなり、熟練したオペレータＭにとっては、最適な交換チャージを探す手間を大幅に削減し作業時間を短縮できるというメリットを生む。
【００４６】
図４（ｂ）の第２検索画面Ａ３２は、選択チャージの前後のチャージとの繋がりやクロップ量を指定するものであったが、選択チャージと交換チャージを実際に入れ替えた場合、交換チャージの前後のチャージと移動後の選択チャージとの繋がりやクロップ量を考慮した方が、精度の高い生産スケジュールの変更及び修正が可能となる。
図６は、交換チャージの前後のチャージと選択チャージとの繋がりやクロップ量を考慮した検索を行うための第３検索画面Ａ３３を示している。
【００４７】
第３検索画面Ａ３３では、選択チャージを交換チャージの位置へ移動させたときの、前後のチャージとの繋がり方及びクロップ量を指定できるチェック欄が、「交換先での選択チャージの繋がり方」として用意されている。第３検索画面Ａ３３は、第２検索画面Ａ３２での検索をさらに詳細に行うための検索インタフェースであるので、第２検索画面Ａ３２で検索条件を指定した後に、入力デバイス１２による所定の操作を経て支援モニタ１１の画面に表示される。すなわち、第３検索画面Ａ３３の上側部分の表示は、第２検索画面Ａ３２と同じである。
【００４８】
前後のチャージ共、繋がり方については、交換前の現状の繋がり方と同じ繋がり方（同じ）とするか、どのような繋がり方でもよい（任意）とするか、または、現状の繋がり方以外の繋がり方（現状以外）とするかを指定することができる。
また、クロップ量については、交換前の現状の繋がり方と同じ量（同じ）とするか、どのような量でもよい（任意）とするか、または現状よりも減らす（減らす）とするかを指定することができる。さらに、選択チャージと交換チャージを入れ替えた後における選択チャージ側と交換チャージ側で生じるクロップの総量を、入れ替え前の現状と同じとするか、任意とするか、または減らすとするかを指定することができる。
【００４９】
図６に示す第３検索画面Ａ３３を用いれば、選択チャージ側の繋がりやクロップ量だけでなく交換チャージ側の繋がりやクロップ量も考慮した、いわば全体の収支を考慮した検索（選択した生産項目と入れ替え可能な生産項目の検索）が可能となる。全体の収支を考慮することは、経験の浅いオペレータＭは言うに及ばず、熟練したオペレータＭにとっても時間を要する作業であるので、第３検索画面Ａ３３は生産スケジュールの変更及び修正に非常に有効なインタフェースであるといえる。
【００５０】
最後に、図７を参照して、上記第１検索画面Ａ３１〜第３検索画面Ａ３３を用いて交換チャージを検索する際の補助検索画面Ａ３４について説明する。
オペレータＭが、生産スケジュールを変更する際に、ある複数のチャージを選択して、それら選択したチャージに共通する属性を持つチャージを探したい場合がある。補助検索画面Ａ３４は、このような共通属性を持つチャージを検索するためのインタフェースである。
【００５１】
図７では、オペレータＭが選択した２つのチャージのそれぞれの鋼種「ＢＲ４７９ＨＩ」と「ＮＨ３３６ＢＣ」が表示されるとともに、各鋼種が、希釈鋼、ばね鋼、快削鋼、肌焼鋼、強靱鋼、清浄鋼等のどのグループに属するかが一覧で表示されている。図７では、鋼種「ＢＲ４７９ＨＩ」は、希釈鋼種かつばね鋼であり、鋼種「ＮＨ３３６ＢＣ」は、希釈鋼種かつ強靱鋼であることが示されている。
【００５２】
ここで、画面上部に示されている“and”を選択して検索すると、選択された２つの鋼種「ＢＲ４７９ＨＩ」及び「ＮＨ３３６ＢＣ」に共通するグループである希釈鋼種に属するチャージが検索される。仮に、共通するグループが希釈鋼種とばね鋼の２つであった場合、希釈鋼種かつばね鋼に属するチャージが検索される。また、画面上部に示されている“or”を選択して検索すると、各鋼種が属するグループのチャージが検索される。つまり、図７の補助検索画面Ａ３４によれば、２つの鋼種「ＢＲ４７９ＨＩ」及び「ＮＨ３３６ＢＣ」が共通に属する希釈鋼種のチャージと、鋼種「ＢＲ４７９ＨＩ」が属するばね鋼のチャージと、鋼種「ＮＨ３３６ＢＣ」が属する強靱鋼のチャージとが、それぞれ検索される。
【００５３】
この補助検索画面Ａ３４を用いれば、生産スケジュールにおいてある複数のチャージが連続している理由を、鋼種を手がかりに調べつつ交換可能なチャージを検索するなど、いわゆる逆引き辞書のような検索が可能となる。
上述のように、生産スケジュールの決定システム１０によれば、製鉄所内において様々な製品（金属材製品など）を製造するに際して、オペレータＭの経験度合いに左右されることなく、効率的な生産スケジュールの決定及び変更を行うことができる。また、熟練したオペレータＭでも数時間といった多大な時間を要していた型組作業が、本発明の支援システム１０を用いることで３０分程度で済むようになり、作業の効率化を図ることが可能となった。
【００５４】
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【００５５】
例えば、実施形態として、連続鋳造機１における型組を例示して説明したが、連続熱処理炉などのように、複数存在する処理対象（処理圧延材）から、所定の処理対象を抽出し、それらをシーケンシャルに処理するような工程での生産スケジューリングに対し、本発明は好適である。
また、本実施形態の変更支援システム１０Ｂの適用は、決定支援システム１０Ａにより決定された生産スケジュールの変更に限定されるものではない。オペレータＭが経験を基に作成した生産スケジュールに対し、本実施形態の変更支援システム１０Ｂを用いて変更を加えるようにしてもよい。
【００５６】
また、変更支援システム１０Ｂの第１検索画面Ａ３１〜Ａ３４を、決定支援システム１０Ａの支援モニタ１１とは別のモニタに表示されるようにしても何ら問題なく本発明を実施することができる。
【符号の説明】
【００５７】
１  連続鋳造装置
２  鋳型
３  鋳片
４  サポートロール
５  タンディッシュ
６  浸漬ノズル
１０  支援システム
１１  支援モニタ（表示器）
１２  入力デバイス
１３  コンピュータ
Ａ１  生産スケジュールエリア
Ａ２  生産優先度エリア
Ａ３  検索画面
Ａ３１  第１検索画面
Ａ３２  第２検索画面
Ａ３３  第３検索画面
Ａ３４  補助検索画面
Ｍ  オペレータ
【図１】
2014044516.tif 000003
【図４】
2014044516.tif 000004
【図６】
2014044516.tif 000005
【図７】
2014044516.tif 000006
【図２】
2014044516.tif 000007
【図３】
2014044516.tif 000008
【図５】
2014044516.tif 000009